(57)【要約】【課題】変形を誘導する工夫がなされ、折れ方をコントロールでき、使用中にヨレの発生が少なく、フィット性が良好で、意匠性に優れた生理用ナプキン等の吸収性物品を提供する。【解決手段】表面層と、裏面層と、これら両層の間に介在する吸収層からなる吸収性物品であって、前記表面層の肌当接面側に、前記表面層から前記裏面層に向って、該表面層と前記吸収層とが圧縮されて、前記表面層と前記吸収層とが一体化されてなる圧縮部位を設け、前記圧縮部位は、線状の溝からなる線状圧縮部位と、二次元的な模様からなる面状圧縮部位と、を含み、前記線状圧縮部位と前記面状圧縮部位とは、該線状圧縮部位を該面状圧縮部位が分断する形態で、前記吸収性物品の長手方向に、該線状圧縮部位と該面状圧縮とが交互に連続して配置されているものである吸収性物品。【選択図】  図１
2004181107.tif 000002
【特許請求の範囲】
【請求項１】
肌に当接される表面層と、該表面層の反対側にある裏面層と、これら両層の間に介在する吸収層と、からなる吸収性物品において、
前記表面層の肌当接面側には、前記表面層から前記裏面層に向かって該表面層と前記吸収層とが圧縮されて前記表面層と前記吸収層とが一体化されてなる圧縮部位と、前記圧縮部位からなるか、または前記圧縮がなされていない非圧縮部位および前記圧縮部位の組み合わせからなる圧縮模様部位と、を備え、
前記圧縮模様部位は、線状の溝の模様からなる線状模様部位と、二次元的な模様からなる面状模様部位と、を含み、
前記線状模様部位と前記面状模様部位とは、該線状模様部位を該面状模様部位が分断する形態で、前記吸収性物品の長手方向に、該線状模様部位と該面状模様部位とが交互に連続して配置されているものであることを特徴とする吸収性物品。
【請求項２】
前記面状模様部位は、前記線状模様部位よりも剛性が高いものであることを特徴とする請求項１に記載の吸収性物品。
【請求項３】
前記線状模様部位と前記面状模様部位とは、吸収性物品の幅方向の両側縁近傍に、該側縁に沿って長手方向に配置されているものであることを特徴とする請求項１または２に記載の吸収性物品。
【請求項４】
前記線状模様部位と前記面状模様部位とは、それぞれ千鳥状に配置されているものであることを特徴とする請求項３に記載の吸収性物品。
【請求項５】
前記線状模様部位と面状模様部位とは、幅方向中心線を対称軸として対称する位置に配置されているものであることを特徴とする請求項３に記載の吸収性物品。
【請求項６】
前記面状模様部位は、圧縮部位により形成された模様であることを特徴とする請求項１から５いずれか記載の吸収性物品。
【請求項７】
前記面状模様部位は、圧縮部位により非圧縮部位を囲んでいるものであることを特徴とする請求項６に記載の吸収性物品。
【請求項８】
前記模様は、花柄模様であることを特徴とする請求項６または７に記載の吸収性物品。
【請求項９】
前記線状模様部位は、長手方向へ交互に並列する高圧縮部位と低圧縮部位とを有することを特徴とする請求項１から８いずれか記載の吸収性物品。
【請求項１０】
前記吸収性物品の中央領域に表面層と吸収層を一体化するピンエンボス部が配置されていることを特徴とする請求項１から９いずれか記載の吸収性物品。
【請求項１１】
線圧調整用圧縮部位が前記線状模様部位の近傍に配置されていることを特徴とする請求項１から１０いずれか記載の吸収性物品。
【請求項１２】
肌に当接される表面層と、該表面層の反対側にある裏面層と、これら両層の間に介在する吸収層と、からなる吸収性物品において、
前記表面層の肌当接面側には、前記表面層から前記裏面層に向かって該表面層と前記吸収層とが圧縮されて前記表面層と前記吸収層とが一体化されてなる圧縮部位と、前記圧縮部位からなる圧縮模様部位および／または前記圧縮がなされていない非圧縮部位と、を備え、
前記圧縮模様部位は、線状の溝の模様からなる線状模様部位と、二次元的な模様からなる面状模様部位と、を含み、
前記線状模様部位と前記面状模様部位とは、該線状模様部位を該面状模様部位が分断する形態で、前記吸収性物品の長手方向に該線状模様部位と該面状模様部位とが交互に連続して配置させることにより、前記吸収性物品の折れる個所を誘導し、ショーツとの追従性を向上させる方法。
【請求項１３】
肌に当接される表面層と、該表面層の反対側にある裏面層と、これら両層の間に介在する吸収層と、からなる吸収性物品において、
前記表面層の肌当接面側には、前記表面層から前記裏面層に向かって該表面層と前記吸収層とが圧縮されて前記表面層と前記吸収層とが一体化されてなる圧縮部位と、前記圧縮部位からなる圧縮模様部位および／または前記圧縮がなされていない非圧縮部位と、を備え、
前記圧縮模様部位は、二次元的な模様からなる面状模様部位を含み、
前記面状模様部位が、幅方向の両側縁に沿って長手方向に千鳥状に配置されているものであることを特徴とする吸収性物品。
【請求項１４】
肌に当接される表面層と、該表面層の反対側にある裏面層と、これら両層の間に介在する吸収層と、からなる吸収性物品であって、前記表面層の肌当接面側には、前記表面層から前記裏面層に向かって該表面層と前記吸収層とが圧縮されて前記表面層と前記吸収層とが一体化されてなる圧縮部位と、前記圧縮部位からなるか、または前記圧縮がなされていない非圧縮部位および前記圧縮部位の組み合わせからなる圧縮模様部位と、を備え、前記圧縮模様部位は、線状の溝の模様からなる線状模様部位と、二次元的な模様からなる面状模様部位と、を含み、前記線状模様部位と前記面状模様部位とは、該線状模様部位を該面状模様部位が分断する形態で、前記吸収性物品の長手方向に、該線状模様部位と該面状模様部位とが交互に連続して配置されている吸収性物品において、
前記圧縮模様部位の量または位置関係を調整することにより吸収性物品の柔軟性を調整する方法。
【請求項１５】
肌に当接される表面層と、該表面層の反対側にある裏面層と、これら両層の間に介在する吸収層と、からなる吸収性物品であって、前記表面層の肌当接面側には、前記表面層から前記裏面層に向かって該表面層と前記吸収層とが圧縮されて前記表面層と前記吸収層とが一体化されてなる圧縮部位と、前記圧縮部位からなるか、または前記圧縮がなされていない非圧縮部位および前記圧縮部位の組み合わせからなる圧縮模様部位と、を備え、前記圧縮模様部位は、線状の溝の模様からなる線状模様部位と、二次元的な模様からなる面状模様部位と、を含み、前記線状模様部位と前記面状模様部位とは、該線状模様部位を該面状模様部位が分断する形態で、前記吸収性物品の長手方向に、該線状模様部位と該面状模様部位とが交互に連続して配置されている吸収性物品において、
前記圧縮模様部位は主エンボスと従エンボスとからなり、該主エンボスと従エンボスとの量または位置関係を調整することにより吸収性物品の柔軟性を調整する方法。
【発明の詳細な説明】
【０００１】
【発明の属する技術分野】
本発明は、使用中にヨレの発生が少なく、フィット性が良好で、デザイン性に優れた生理用ナプキン等の吸収性物品に関する。
【０００２】
【従来の技術】
従来、吸収性物品は、ヨレや漏れ防止性を向上させるために種々改良が施されており、例えば、特許文献１のように、表面層と吸収層を一体化する高圧搾溝と低圧搾溝が交互に連続して連なっている条溝を一対配置すること、特許文献２のように、表面層と弾性層と吸収層を一体化している特殊な形状をした圧縮部位が非連続に配置されており、且つそれらが幅方向中心線からみて左右で対をなして配置すること、特許文献３のように、長手方向に沿う一対の防漏溝と幅方向に沿う幅方向防漏溝を配置し、長手方向に沿う防漏溝にはハート型の凹部が連続した防漏溝内に連続して、対を成して多数配置すること、特許文献４のように、長手方向に沿う防漏溝が設けられ、その防漏溝には、深く圧縮されたシール部が所定間隔で線状に設けること等が提案されている。
【０００３】
【特許文献１】
特開平０９−１０８２６２号公報
【特許文献２】
特開２００１−２７６１２６号公報
【特許文献３】
特開２００１−１７８７７５号公報
【特許文献４】
特開２００１−１２９０１８号公報
【０００４】
【発明が解決しようとする課題】
ところで、生理用ナプキン等の吸収性物品が装着される足の付け根部分は動きが激しく、経血等の漏れを防止するにはこの動きに追従されて身体にフィットすること、およびショーツへの追従性を高めることが必要となる。
【０００５】
しかしながら、特許文献１では、連続した一つの直線として圧搾溝が形成されているので、横からの圧力を受けたときには圧搾溝で狭まれている吸収性物品の中央部が盛り上がり体へフィットする構造をとるが、連続してつながっているため、折れ曲がる起点が乏しく、圧縮部位が配置されている領域は使用中において長手方向の身体への追従性が悪く、身体と吸収性物品との間に隙間を形成してしまいそこから漏れを誘発してしまう可能性がある。
【０００６】
また、特許文献２では、線状の圧縮部位では、独立した図柄の圧縮部位を部分的にしかも幅方向中心線に対し対称な位置に対になるようにして吸収性物品上に配置している。そのため、横からの圧力を受けても吸収性物品の中央部の盛り上がりを誘導することが困難である。また、面状模様部位は完全に分断されたかたちで配置されているので、非圧縮部位の可動性は高いものの、変形を誘導する工夫がされてなく、圧縮されているところを起点に折れが発生し、所々に好き勝手な折れ曲がりができ、折り癖がついてしまう。このため、折れ方をコントロールできない、また、折れに沿って経血が流れ出るという問題があった。
【０００７】
また、特許文献３では、吸収性物品の表面に防漏溝が形成され、この防漏溝に例えばハート型といった凹部が配置されているため、防漏溝の視認性が高いが、柄の視認性を高めるには少なくとも幅が５ｍｍ以上の高圧縮領域が必要であることから、それだけの圧縮領域をもったエンボスを連続して配置すると吸収性物品の剛性が上がり、使用中における違和感を生じるという問題があった。
【０００８】
また、特許文献４では、強圧縮部位が互い違いに配置されており、生産機で考えた時には線圧が計算されており、特に厚型のナプキンにおいては非常に有効である。但し、これは連続した圧縮線上に強圧縮部位、低圧縮部位を設けており、圧縮線が全てを連動させてしまう。つまり、一つ一つの圧縮部位が個別に独立して機能するわけではなく、一本の線として機能する。従って、厚型ナプキンのような体にフィットさせる場合には圧縮線で製品が湾曲して体にフィットしやすくなる。しかし、薄型のナプキンの場合、体にフィットではなくショーツに対しての追従性が求められ、ショーツの動きに対して柔軟に変形することが求められる。
【０００９】
本発明は、以上のような課題に鑑みてなされたものであり、その目的は、変形を誘導する工夫がなされ、折れ方をコントロールでき、使用中にヨレの発生が少なく、フィット性が良好で、デザイン性に優れた生理用ナプキン等の吸収性物品を提供することにある。
【００１０】
【課題を解決するための手段】
この発明は、このような従来の問題点に着目してなされたもので、表面層と裏面層とその間に介在するナプキン等の吸収性物品において、表面層と吸収層を一体化する圧縮部位が線状模様部位よりも幅広で視覚的効果の高い面状模様部位とからなり、それぞれが千鳥状に配置され、且つ分断されている構造とすることにより、上記課題を解決し、本発明を完成するに至った。すなわち、線状模様部位は股を閉じるなどの横の力によって圧縮部位で狭まれた製品中央領域を盛り上げ体にフィットさせる機能を持ち、また、面状模様部位と線状模様部位の境目の非圧縮部位は圧縮部位で狭まれているので折れ起点となりやすく、長手方向に見たときに身体に追従し易いやすい。また、面状模様部位は線状模様部位よりも剛性が高く設定されている（面状模様部位は線状模様部位よりも圧縮面積が大で、剛性が高い）ので、面状模様部位は形状を維持しつつ、この面状模様部位を挟んだ前後の線状模様部位が前後に可動しやすくなり、製品を固定するショーツの伸びや縮みなどへの追従性が高くなる。つまり、剛性の強い面状模様部位とそれよりも剛性の弱い線状模様部位の配置する箇所でコントロールでき、且つ、ショーツへの追従性を高めることになる。
【００１１】
より具体的には、本発明は、以下のようなものを提供する。
【００１２】
（１）  肌に当接される表面層と、該表面層の反対側にある裏面層と、これら両層の間に介在する吸収層と、からなる吸収性物品において、前記表面層の肌当接面側には、前記表面層から前記裏面層に向かって該表面層と前記吸収層とが圧縮されて前記表面層と前記吸収層とが一体化されてなる圧縮部位と、前記圧縮部位からなるか、または前記圧縮がなされていない非圧縮部位および前記圧縮部位の組み合わせからなる圧縮模様部位と、を備え、前記圧縮模様部位は、線状の溝の模様からなる線状模様部位と、二次元的な模様からなる面状模様部位と、を含み、前記線状模様部位と前記面状模様部位とは、該線状模様部位を該面状模様部位が分断する形態で、前記吸収性物品の長手方向に、該線状模様部位と該面状模様部位とが交互に連続して配置されているものであることを特徴とする吸収性物品を提供する。
【００１３】
本発明によれば、線状模様部位は、股を閉じるなどの力によって線状模様部位で挟まれた生理用ナプキン等の吸収性物品の中央領域を盛り上げて、身体にフィットさせる機能を持つ。また、面状模様部位と線状模様部位の境目の非圧縮部位は、圧縮部位で挟まれているので、折れ起点となり易く、長手方向に身体に沿い易くなり、生理用ナプキン等の吸収性物品を固定するショーツの伸びや縮みなどへの追従性が高まり、身体にもより一層フィットすることになる。
【００１４】
ここで、面状模様部位とは、表面層から裏面層に向かって、表面層と吸収層とが圧縮されてなる圧縮部位で二次元的な模様が形成されたものであって、圧縮された部分と圧縮されていない非圧縮部位からなる模様のものや圧縮された部分のみからなる模様のものを含むものとする。
【００１５】
（２）  前記面状模様部位は、前記線状模様部位よりも剛性が高いものであることを特徴とする（１）に記載の吸収性物品を提供する。
【００１６】
本発明によれば、面状模様部位は線状模様部位よりも剛性が高く設定されているので、面状模様部位は形状を維持しつつ、面状模様部位を挟んで長手方向の前後に分断されて配置されている線状模様部位が前後に可動しやすくなる。このように前後の線状模様部位が面状模様部位を中心にして可動しやすくなることにより、生理用ナプキン等の吸収性物品を固定するショーツの伸びや縮みなどへの追従性が高まり、着用者にショーツと生理用ナプキン等の吸収性物品の挙動の差によるひずみで発生する違和感を低減することが可能となる。ここで、剛性が高いとは、表面層と吸収層とが圧縮される部位が多いこと、あるいは圧縮度合いが強いことにより、高密度化されていること、もしくは模様を形成する輪郭のなかに形成されるトラス構造状の骨格（以下骨格と称する）があることを意味する。
【００１７】
（３）  前記線状模様部位と前記面状模様部位とは、吸収性物品の幅方向の両側縁近傍に、該側縁に沿って長手方向にほぼ連続して配置されているものであることを特徴とする（１）または（２）に記載の吸収性物品を提供する。
【００１８】
本発明によれば、線状模様部位と面状模様部位とは吸収性物品の幅方向の両側縁近傍に、該側縁に沿って配置されているので、着用ナプキン等の吸収性物品の中央部分に生じた捩れ等は、この線状模様部位と面状模様部位の圧縮部位によって吸収性物品の側縁にまで延びるのを阻止される。これによって、経血が捩れに沿って側縁にまで流れて、横漏れを生じるという問題を回避することができる。
【００１９】
（４）  前記線状模様部位と面状模様部位とは、吸収性物品の幅方向の両側縁近傍に配置された前記線状模様部位と前記面状模様部位とは、それぞれ千鳥状に配置されているものであることを特徴とする（３）に記載の吸収性物品を提供する。
【００２０】
本発明によれば、両側縁の近傍に配置した剛性の強い面状模様部位とそれよりも剛性の弱い線状模様部位とは幅方向中心線を対称軸として対称となる位置に同じ圧縮部位が存在しないことによって、吸収拡散領域を横方向で稼ぐことができる。すなわち、小さな吸収性物品（生理の終わり近くに使われるナプキン等）の場合、面状模様部位が対をなしていると吸収性物品の特に排泄部と対面する部分の吸収領域が低減してしまう。各圧縮部位においても吸収は可能であるが、圧縮部位の吸収機能とは、横漏れを防ぐ最終ブロックラインとしてであり、ここに到達する前にいかに吸収体を有効活用するかが、求められる。従って、小さな吸収物品においては、吸収拡散領域を横方向でできるだけ広くとるために面状模様部位を千鳥状に配置する必要がでてくる。
【００２１】
また、デザイン的にも千鳥状に配置する方が画一的でなく、このような模様を配することによりナプキンのデザイン性が向上する。
【００２２】
また、左右対称でないにしろ、折れる起点（分断された箇所）を配置していることにより、従来の左右対称で、分断されていない圧縮部位を有するナプキンに比べてショーツへの追従性が高まる。
【００２３】
（５）  前記線状模様部位と面状模様部位とは、幅方向中心線を対称軸として対称する位置に配置されているものであることを特徴とする（３）に記載の吸収性物品を提供する。
【００２４】
本発明によれば、股を閉じる力によって中央部が排泄部にフィットし、且つ前述のように分断されている箇所によりショーツへの追従性が高まる。しかし、前述しているように、小さなナプキン等の吸収性物品では拡散範囲が縮小してしまう可能性があるため、ナプキンのサイズに合わせて線状模様部位と面状模様部位の配置は決定される。
【００２５】
（６）  前記面状模様部位は、圧縮部位により形成された模様であることを特徴とする（１）から（５）いずれか記載の吸収性物品を提供する。
【００２６】
本発明によれば、圧縮部位が花柄等の模様を象っている（模様が圧縮により形成された凹状のエンボスで象られている）ので、圧縮部位が非圧縮部位を囲った形になっており、経血があるときでもないときでも模様としてはっきりと確認することができ、生理時の憂鬱感を取替え時に一瞬忘れさせる効果がある。また、模様内の圧縮されていない非圧縮部位と模様を形成する圧縮部位とは、経血に触れたときにはそれぞれの見え方が異なり、非圧縮部位には経血の鮮明な色を呈するが、圧縮部位は圧縮により底面がフィルム状になっているため、そこだけ経血の色が白色化（白化性が高い）されて見え花柄等の模様が確認できるため、生理時の憂鬱感を取替え時に一瞬忘れさせる効果が一層向上する。
【００２７】
（７）  前記面状模様部位は、圧縮部位により非圧縮部位を囲んでいるものであることを特徴とする（６）に記載の吸収性物品を提供する。
【００２８】
本発明によれば、圧縮部位は非圧縮部位よりも密度が高くなっており、経血の色の出方が圧縮部位と非圧縮部位とでは異なる。すなわち、非圧縮部位には経血の鮮明な色を呈するが、圧縮部位は圧縮により底面がフィルム状になっているため、そこだけ経血の色が白色化（白化性が高い）されて見え花柄等の模様が確認し易くなる。
【００２９】
また、圧縮部位でかこまれているので、表面層が圧縮部位によって引き寄せられ、圧縮部位で囲まれている非圧縮部位は圧縮部位で囲まれていない非圧縮部位に比べて密度が高くなる（表面層と吸収層を一体化して囲んでいる圧縮部位によって、表面層が引っ張られ、吸収層が軽く圧縮された状態になっている）ため、経血が引き寄せられ易くなる。また圧縮部位のように底面がフィルム状になっていないので経血の吸収保持が可能となる。
【００３０】
（８）  前記模様は、花柄模様であることを特徴とする（６）または（７）に記載の吸収性物品を提供する。
【００３１】
本発明によれば、面状模様部位が花柄模様であるので、意匠性に優れることになり、商品性が向上する。また、生理時の憂鬱感を取替え時に一瞬忘れさせる効果を奏する。
【００３２】
（９）  前記線状模様部位は、長手方向へ交互に並列する高圧縮部位と低圧縮部位とを有することを特徴とする（１）から（８）いずれか記載の吸収性物品を提供する。
【００３３】
本発明によれば、線状模様部位まで拡散してきた経血は、圧縮されていない領域に比べて密度の高い、高圧縮部位と低圧縮部位が交互に配列された線状模様部位を伝って、製品の前後に拡散させられ横漏れを防ぐことができる。尚、圧縮部位は液を引き寄せる力はあるものの、空隙が少ないために液を吸収保持する機能が乏しい。従って、液を強く引き寄せるための高圧縮部位と吸収保持する機能の低圧縮部位を交互に配列してある。
【００３４】
（１０）  前記吸収性物品の中央領域に表面層と吸収層を一体化するピンエンボス部が配置されていることを特徴とする（１）から（９）いずれか記載の吸収性物品を提供する。
【００３５】
本発明によれば、吸収性物品を部分的に圧縮して表面層と吸収層を一体化していることにより、密度の高くなっているピンエンボス部で経血が吸収層に移行しやすくなり、表面層における経血の残存量を低減でき、着用中不快感を与えることが少なくなる。尚、中央領域のピンエンボス部が多すぎると、大量の経血が排出された時に一瞬で経血を空間に閉じ込めるための空隙を失う可能性が生ずるおそれがあるので好ましくない。また、吸収性物品の中央領域は排泄部と接する領域になるので、ピンエンボスのような圧縮面積の小さいものが好ましい。この中央領域に面状模様部位等のような幅広なエンボスを配置するとデリケートな排泄部に擦れなどの負担を与える可能性が生じるので好ましくない。ここで、ピンエンボスとは、表面層と吸収層を一体化するドット状の細い凹部を意味し、その形状は特に限定されない。
【００３６】
（１１）  線圧調整用圧縮部位が前記線状模様部位の近傍に配置されていることを特徴とする（１）から（１０）いずれか記載の吸収性物品を提供する。
【００３７】
本発明によれば、吸収性物品には幅方向中心線Ｌ−Ｌ’を対称軸として左右が対にならないように面状模様部位が配置されているが、この場合に花柄の大きな面状模様部位を挟んだ隣に線状模様部位があることになるので、吸収性物品に圧縮部位を形成する製造時において、面状模様部位と線状模様部位との線圧のかかり度合いが大きく変わり、線状模様部位に線圧の全てがかかるようになるので材料の破壊を起こすことになる。そのため、面状模様部位と線状模様部位との線圧のバランスを取るために、線状模様部位に線圧調整用圧縮部位を配置して、線圧をほぼ同等化している。これによって、エンボスを施すことによる破れやうっすらとしかエンボスされないといった問題が解消される。
【００３８】
（１２）  肌に当接される表面層と、該表面層の反対側にある裏面層と、これら両層の間に介在する吸収層と、からなる吸収性物品において、前記表面層の肌当接面側には、前記表面層から前記裏面層に向かって、該表面層と前記吸収層とが圧縮されて、前記表面層と前記吸収層とが一体化されてなる圧縮部位を備え、前記圧縮部位は、線状の溝からなる線状模様部位と、二次元的な模様からなる面状模様部位と、を含み、前記線状模様部位と前記面状模様部位とは、該線状模様部位を該面状模様部位が分断する形態で、前記吸収性物品の長手方向に該線状模様部位と該面状模様部位とが交互に連続して配置させることにより、前記吸収性物品の折れる個所を誘導し、ショーツとの追従性を向上させる方法を提供する。
【００３９】
本発明によれば、線状模様部位は股を閉じるなどの横の力によって圧縮部位で挟まれた生理用ナプキン等の吸収性物品の中央領域を盛り上げて身体にフィットさせる機能を持つ。また、面状模様部位と線状模様部位の境目の非圧縮部位は圧縮部位で挟まれているので折れ起点となり易く、長手方向に見たときに身体に沿い易い。また、面状模様部位は線状模様部位よりも実際に圧縮されている圧縮面積が多く、また、骨格があることにより剛性が高く設定されているので、面状模様部位を中心に見たとき、面状模様部位は形状を維持しつつ、この面状模様部位を挟んだ前後の線状模様部位が前後に可動し易くなる。このように前後の線状模様部位が面状模様部位を中心にして可動しやすくなるので、吸収性物品の折れる個所が誘導されることになり、その結果、生理用ナプキン等の吸収性物品を固定するショーツの伸びや縮みなどへの追従性が高まる。
【００４０】
（１３）  肌に当接される表面層と、該表面層の反対側にある裏面層と、これら両層の間に介在する吸収層と、からなる吸収性物品において、前記表面層の肌当接面側には、前記表面層から前記裏面層に向かって、該表面層と前記吸収層とが圧縮されて、前記表面層と前記吸収層とが一体化されてなる圧縮部位を備え、前記圧縮部位は二次元的な模様からなる面状模様部位を含み、前記面状模様部位が幅方向の両側縁に沿って長手方向に千鳥状に配置されているものであることを特徴とする吸収性物品を提供する。
【００４１】
本発明によれば、股を閉じるなどの横の力によって、面状模様部位が力を受け易くなる。この面状模様部位に力が集中することによって、面状模様部位が部分的に力を受け止め、横からの圧力を製品全体に伝えず、吸収性物品全体が変形することを妨げることになる。このため、吸収性物品は部分的に変形することが可能となり、ショーツの動きに対して追従性が高まることになる。また、面状模様部位の図柄により意匠性に優れることになる。
【００４２】
（１４）  肌に当接される表面層と、該表面層の反対側にある裏面層と、これら両層の間に介在する吸収層と、からなる吸収性物品であって、前記表面層の肌当接面側には、前記表面層から前記裏面層に向かって該表面層と前記吸収層とが圧縮されて前記表面層と前記吸収層とが一体化されてなる圧縮部位と、前記圧縮部位からなるか、または前記圧縮がなされていない非圧縮部位および前記圧縮部位の組み合わせからなる圧縮模様部位と、を備え、前記圧縮模様部位は、線状の溝の模様からなる線状模様部位と、二次元的な模様からなる面状模様部位と、を含み、前記線状模様部位と前記面状模様部位とは、該線状模様部位を該面状模様部位が分断する形態で、前記吸収性物品の長手方向に、該線状模様部位と該面状模様部位とが交互に連続して配置されている吸収性物品において、前記圧縮模様部位の量または位置関係を調整することにより吸収性物品の柔軟性を調整する方法を提供する。
【００４３】
本発明によれば、吸収性物品に模様を付す際のエンボスの線圧が調整できることになる。このように線圧のバランスを取ってほぼ同等化することにより、エンボスを施すことによる破れやエンボス付けのムラ等が解消される。また、エンボスを付与する製造工程において、エンボスロールの表面に配せられる模様の凸になっている部分が生産ライン中で折れる危険性がない。
【００４４】
（１５）  肌に当接される表面層と、該表面層の反対側にある裏面層と、これら両層の間に介在する吸収層と、からなる吸収性物品であって、前記表面層の肌当接面側には、前記表面層から前記裏面層に向かって該表面層と前記吸収層とが圧縮されて前記表面層と前記吸収層とが一体化されてなる圧縮部位と、前記圧縮部位からなるか、または前記圧縮がなされていない非圧縮部位および前記圧縮部位の組み合わせからなる圧縮模様部位と、を備え、前記圧縮模様部位は、線状の溝の模様からなる線状模様部位と、二次元的な模様からなる面状模様部位と、を含み、前記線状模様部位と前記面状模様部位とは、該線状模様部位を該面状模様部位が分断する形態で、前記吸収性物品の長手方向に、該線状模様部位と該面状模様部位とが交互に連続して配置されている吸収性物品において、前記圧縮模様部位は主エンボスと従エンボスとからなり、該主エンボスと従エンボスとの量または位置関係を調整することにより吸収性物品の柔軟性を調整する方法を提供する。
【００４５】
本発明によれば、エンボスの線圧のバランスは主エンボスと従エンボスで調整できることになる。
【００４６】
【発明の実施の形態】
次に、本発明の好ましい一実施形態について、図を参照しつつ説明するが、本発明はこれに限定されるものでない。
【００４７】
本実施形態の吸収性物品としての生理用ナプキンの基本構成について説明する。図１は本発明の第１の実施形態の生理用ナプキンを示す平面図であり、図２は図１のＸ−Ｘ’線断面図であり、図３は図１のＡ部分の拡大図である。
【００４８】
本実施形態の生理用ナプキン１は、図１と図２に示すように、表面層２と、裏面層３と、これら両層の間に介在する吸収層４とからなる。表面層２は、液透過性のトップシート２１と液透過性もしくは液保持性のセカンドシート２２とからなる。裏面層３は、液不透過性のバックシート３１からなる。吸収層４は、液保持性の吸収体４１からなる。表面層２と裏面層３は吸収層３から延出する部分で重なり合い接合されている。また、表面層２のトップシート２１とセカンドシート２２、吸収層４、裏面層３とはホットメルト型接着剤（以下ＨＭＡと称する）で貼り合せて接合されている。
【００４９】
また、図示しないが、裏面層３の長手方向のほぼ中央部分を幅方向外方に延出させて左右一対のフラップを形成し、また、このフラップの裏面側および吸収層４が接合された裏面層３の裏面側には、粘着剤が塗布されて、吸収性物品をショーツなどに固定する固定部が形成されている。
【００５０】
本実施形態の生理用ナプキン１においては、表層面２の肌当接面２４には、表裏層２と吸収層４とを一体化する圧縮部位で形成され長手方向に沿って線状に延伸する線状模様部位６と、表裏層２と吸収層４とを一体化する圧縮部位５で模様が形成された面状模様部位７とが、互いに分断されて交互に連続するようにして、幅方向の両側縁近傍に長手方向に形成されている。尚、両側縁に形成された線状模様部位６と面状模様部位７とは、千鳥状、すなわち、幅方向中心線Ｌ−Ｌ’を対称軸として非対称の位置に配置されている。また、中央領域には複数のドット状のピンエンボス部８が形成されている。また、線状模様部位６の長さ方向の両端近傍には、圧縮部位５で葉っぱ形状の模様に形成されたエンボスの線圧を調整するための第１の線圧調整用圧縮部位９１が対称する位置に形成されている。また、生理用ナプキン１の長手方向の前後端部には、花柄形状の第２の線圧調整用圧縮部位９２が形成されている。
【００５１】
上記線状模様部位６は、幅寸法が好ましい範囲としては０．３〜３．０ｍｍであり、更に好ましい範囲は０．５〜１．２ｍｍである。０．３ｍｍより狭い場合、生産ライン中で、生理用ナプキン１にエンボスを付与するエンボスロールのデザインの凸になっている部分が折れる危険性があり、製造上不都合となる。また、３．０ｍｍより広い場合、生理用ナプキン１に過度の硬さを与えてしまう。そして、圧縮部位５の深さが深い高圧縮部位６１と浅い低圧縮部位６２とを有し、両部６１，６２が線状模様部位６の長さ方向へ交互に並列している。高圧縮部位６１の幅ｔ１は約０．７ｍｍで、低圧縮部位の幅ｔ２は約２．０ｍｍであって、高圧縮部位の密度は約１．９ｇ／ｃｍ３と低圧縮部位の密度は約０．４５ｇ／ｃｍ３に設定されている。ちなみに圧縮されていない領域（非エンボス領域）は約０．１５ｇ／ｃｍ３の密度である。
【００５２】
また、線状模様部位６は、生理用ナプキン１の外形に沿って湾曲しているので、小さい生理用ナプキン１の吸収領域をできるだけ広げられ、且つ意匠性が向上する。
【００５３】
また、上記面状模様部位７は、例えば花柄形状といった模様を圧縮部位５で形成したものであり、この花柄形状は表面層と吸収層を一体化する圧縮部位によって象られた花びら型の模様を半径約７ｍｍの円の中に約７２度づつずらして配置したものからなる。この花びらを象る圧縮部位５の幅は約０．７ｍｍで、好ましい範囲としては０．３〜３．０ｍｍであり、更に好ましい範囲は０．５〜１．２ｍｍである。０．３ｍｍより狭い場合、生産ライン中でエンボスロールのデザインの凸になっている部分が折れる危険性があり、製造上不都合となる。また、３．０ｍｍより広い場合、生理用ナプキン１に過度の硬さを与えてしまう。また、密度は１．０〜５．０ｇ／ｃｍ３の範囲が好ましく、更に好ましいのは１．５〜３．０ｇ／ｃｍ３である。１．０ｇ／ｃｍ３より低い場合、十分な強度が得られず、使用中に圧縮部位が破壊されてしまう。また、５．０ｇ／ｃｍ３より高い場合には過度の硬さがでてしまう。
【００５４】
この線状模様部位６は股を閉じるなどの力によって圧縮部位５で挟まれた生理用ナプキン１の中央領域を盛り上げて身体にフィットさせる機能を持つ。また、これら線状模様部位６と面状模様部位７とは、千鳥状、すなわち、幅方向中心線Ｌ−Ｌ’を対称軸として非対称の位置に互いに分断されて交互に連続するようにして、幅方向の両側縁近傍において長手方向に形成されているので、面状模様部位７と線状模様部位６の境目の圧縮されていない非圧縮部位は、両圧縮部位６，７で挟まれているので折れ起点となり易くなり、長手方向にみたときに身体に沿い易く、生理用ナプキン１を固定するショーツの伸びや縮みなどへの追従性が高まり、身体にもより密着することになる。
【００５５】
また、面状模様部位７は線状模様部位６よりも実際に圧縮されている圧縮面積が多く、骨格もあるため、剛性が高く設定されているので、面状模様部位を中心に見たとき、面状模様部位７は形状を維持しつつ、面状模様部位７を挟んで前後に存する線状模様部位６が前後に可動し易くなる。すなわち、図４に示すように、面状模様部位７の前後の線状模様部位６が面状模様部位７を中心にして可動しやすくなることにより、生理用ナプキン１を固定するショーツの伸びや縮みなどへの追従性が高まり、着用者にショーツと生理用ナプキン１の挙動の差によるひずみで発生する違和感を低減することが可能となる。つまり、剛性の強い面状模様部位とそれよりも剛性の弱い線状模様部位を交互に配置することによって、生理用ナプキン１の中央領域を盛り上げるだけでなく、製品の折れる箇所を面状模様部位の配置する箇所でコントロールでき、且つ、ショーツへの追従性を高められる。
【００５６】
また、上記線状模様部位６には高圧縮部位６１と低圧縮部位６２とが存在するので、線状模様部位６に流入した経血は、圧縮されていない領域に比べて密度の高い、高圧縮部位６１と低圧縮部位６２が交互に配列された線状模様部位６を伝って、吸収性物品１の前後に拡散させられ横漏れを防ぐことができる。
【００５７】
高圧縮部位６１と低圧縮部位６２を交互に配列しているのは、線状模様部位６は液を引き寄せる力はあるものの、空隙が少ないために液を吸収保持する機能が乏しい。従って、液を強く引き寄せるための高圧縮部６１と吸収保持する機能の低圧縮部６２を交互に配列してある。このため、線状模様部位に流入した経血はその長手方向に素早く拡散することが促され、吸収性物品の側縁に向かって経血が外方に広がるのを抑えることができるので、吸収性物品の側縁部やそこに接するショーツを汚すこともない。
【００５８】
尚、線状模様部位８の幅寸法や高圧縮部位８１および低圧縮部位８２の幅寸法、密度等は、上記の数値に特定されるものではなく、上述の効果が得られるように適宜選定すればよい。
【００５９】
また、上記面状模様部位７は、圧縮部位５によって花柄形状の模様が象られている（模様が圧縮により形成された凹状のエンボスで形成されている）ので、圧縮部位が非圧縮部位を囲った形になっており、経血があるときでもないときでも花柄がはっきりと確認することができ、生理時の憂鬱感を取替え時に一瞬忘れさせる効果がある。また、模様内の圧縮されていない非圧縮部位分と模様を形成する圧縮部位とは、経血に触れたときにはそれぞれの見え方が異なり、非圧縮部位には経血の鮮明な色を呈するが、圧縮部位は圧縮により底面がフィルム状になっているため、そこだけ経血の色が白色化（白化性が高い）されて見え、花柄などが認識し易くなるので、生理時の憂鬱感を取替え時に一瞬忘れさせる効果が一層向上する。
【００６０】
更に、面状模様部位７が花びら型の模様が５枚集まって花柄の模様を形成しているので、生理用ナプキン１の幅方向の両側縁側に配置されていることにより、生理用ナプキン１の交換時のインジケーター的な役割を果たす。つまり、トイレで使用中のナプキンを見た際、花柄の５枚の花びらに経血が滲んで花が咲いたように見えたら、交換のタイミングであると判断することができる。また、両側部には底部がフィルム化されている圧縮部位を多く配置しているので、光線反射率が生理用ナプキン１の中央部側と両側縁側で異なることとなり、暗いところでも着用者が生理用ナプキン１をショーツに付ける位置を判断する際の助けとなる。
【００６１】
また、上記ピンエンボス８の面積は、０．５〜１３ｍｍ２の範囲で、好ましくは２．５〜７ｍｍ２である大きさの圧縮凹みであって、表面層２と吸収層４を部分的に圧縮して一体化している。０．５ｍｍ２より小さいと、圧縮部位が小さくなり、経血を表面層から吸収層へ移行する力が損なわれる。また、１３ｍｍ２より大きいと圧縮面積が大きいためにデリケートな排泄部と対面する領域において硬さがでてしまい、デリケートな排泄部に擦れなどの負担を与える可能性があるので好ましくない。また、部分的に圧縮して表面材と吸収体を一体化していることにより、密度の高くなっているピンエンボス部８で経血が吸収層４に移行しやすくなり、表面層２に経血が残存する量が低減でき着用中に不快感を与えることが少なくなる。尚、中央領域のエンボス部分が多すぎると、大量の経血が排出された時に一瞬で経血を空間に閉じ込めるための空隙を失う可能性もでてくる。
【００６２】
また、上記第１の線圧調整用圧縮部位９１は、幅が約０．７ｍｍで、密度が約１．９ｇ／ｃｍ３である圧縮部位５によって、葉っぱ形状に形成されている。また、第２の線圧調整用圧縮部位９２は、半径約３．５ｍｍの花柄形状である。その密度は約１．８ｇ／ｃｍ３である。尚、この密度範囲も圧縮部位５と同様に１．０〜５．０ｇ／ｃｍ３の範囲が好ましく、更に好ましいのは１．５〜３．０ｇ／ｃｍ３である。また、この圧縮面積はメインの面状模様部位７と線状模様部位６の線圧をコントロールするものであり、それらのサイズや配置に合わせて設定される。これら線圧調整用圧縮部位９１，９２は、面状模様部位７でかかるエンボスの線圧のアンバランスを調整してエンボスの線圧のバランスを同等化して、表面層２を圧縮して凹状のエンボスの各々の圧縮部位６，７を製造ラインの流れ方向に流して成形する際に、表面層２が破損することなくエンボスが鮮明に形成されるようにするためのものである。すなわち、図５に示すように、生理用ナプキン１には、千鳥状、すなわち、幅方向中心線Ｌ−Ｌ’を対称軸として、非対称な位置に面状模様部位７を配置させているため、Ａ部には花柄の大きな面状模様部位７があり、もし、Ｂ部に葉っぱ柄の第１の線圧調整用圧縮部位９１がなければ、ＡとＢとでの線圧のかかり度合いが大きくかわり、Ｂで材料の破壊を起こす（Ｂ部の方がＡ部に比べて線状模様部位しかないので、そこに線圧の全てがかかるようになる）従って、Ａ部とＢ部の線圧のバランスを取るために、Ｂ部に葉っぱ柄の第１の線圧調整用圧縮部位９１を配置している。尚、これら線圧調整部用圧縮部位９１，９２の圧縮部位５の幅寸法、密度等は、上記の数値に特定されるものではなく、上述の効果が得られるように適宜設定すればよい。また、線状模様部位８の高圧縮部位８１と低圧縮部位８２とが交互に配置されたものについて説明したが、これに限定されず、高圧縮部位８１の連続体でもよく、また、ドット状の圧縮部位が連なったものであってもよい。
【００６３】
次に、生理用ナプキン１を構成する部材について説明する。
【００６４】
表面材を構成するトップシート２１は、親水性であり、肌に刺激を与えない材料が使用される。このようなものとしては、ポイントボンド、スパンレース、スパンボンド不織布等があげられるが、最も好ましいのは表面の風合いがよく、密度の小さいエアースルー不織布である。更に、エアースルー不織布としては、例えば目付２５ｇ／ｍ２で、ポリエチレンテレフタレート（酸化チタン１．１％含有）−ポリエチレンの芯鞘型複合熱可塑性繊維（２デニール×４４ｍｍ）が、芯鞘構造の芯部に酸化チタンを添加しているため、酸化チタンが入っていないものより表面のすべり性及びドレープ性が高く風合いが良い。そして、エアースルー不織布なので、他の不織布（スパンボンド、スパンレース等）に比べ、嵩をもっており、空隙を多く設けることが可能であるので好ましい。
【００６５】
また、好ましい目付は１５〜６０ｇ／ｍ２であって、目付が１５ｇ／ｍ２以下だと表面強度が十分に得られず、使用中に破ける恐れがある。また６０ｇ／ｍ２以上の場合、過度のごわつきが発現し、使用中に違和感を生じる。また、密度は０．１２ｇ／ｃｍ３以下で液透過性であれば特には限定されない。密度がこれ以上の場合、表面材の繊維間をスムーズに透過することが難しい。経血の場合、尿などにくらべ粘性が高く、極力密度が低いものが良い。
【００６６】
また、トップシートの原綿は、使用する化学繊維は疎水性であり、液の透過性を良くするために親水性の油剤をコーティングした繊維のみで構成されていたが、全てが親水の場合、表面材の親水性でトップシート２１を経血が拡散してしまうので、撥水性繊維を、３０％までいれると表面シートの拡散性を抑える効果があるので好ましい。
【００６７】
表面材を構成するセカンドシート２２は液透過性もしくは液保持性である材料が使用される。このようなものとしては、トップシート２１と同様にポイントボンド、スパンレース、スパンボンド不織布等があげられるが、最も好ましいのは表面の風合いがよく、密度の小さいエアースルー不織布である。このエアースルー不織布は、他の不織布（スパンボンド、スパンレース等）に比べ、嵩をもっており、空隙を多く設けることが可能であるので好ましい。具体的にはセカンドシート２２に使用されるエアースルー不織布は、目付２０ｇ／ｍ２、で、ポリプロピレン−ポリエチレンの偏芯鞘型複合熱可塑性繊維（４デニール×５０ｍｍ）が挙げられる。
【００６８】
また、エアースルー不織布の他に、液保持性のエアレイドパルプであってもよい。このエアレイドパルプの場合、親水作用をエアースルー不織布に比べて持ち合わせているため、表面材に滞留している経血を引き寄せるという点で優れる。尚、このエアレイドパルプには、化学繊維で骨格を保つ構成をされていて、水分の影響を受けにくいものもあるが、ほとんどの構成を化学繊維で構成されているエアースルー不織布の方がより好ましい。
【００６９】
尚、セカンドシート２２は、密度が０．０８〜０．０１ｇ／ｃｍ３の範囲であるのが好ましい。０．０８ｇ／ｃｍ３より高い場合、空隙が少なく経血の透過性が悪くなる。また、０．０１ｇ／ｃｍ３より低い場合、空隙は多く稼げるものの、空隙を維持するための骨格が弱くなる可能性があるので好ましくない。
【００７０】
そして、セカンドシート２２はトップシート２１の裏面側にスパイラル状に塗布されたＨＭＡにて貼り合わされている。
【００７１】
吸収体４１は、経血を吸収して保持する機能を有するもので、エアレイドパルプや、吸収性繊維が含まれる不織布（スパンレース、エアースルー法等）などの吸収性のシートが使用される。一例として、パルプは目付２００ｇ／ｍ２、ポリマーは目付４ｇ／ｍ２（ポリマーは全体に分散している）で、パルプとポリマーは全体に均一に分布している化学パルプと吸収性ポリマーの混合体を１５ｇ／ｍ２のティッシュで包んだものが挙げられる。
【００７２】
また、裏面層３を構成するバックシート３１は、ポリエチレン（ＰＥ）、ポリプロピレン（ＰＰ）等を主体とした液不透過性フィルム、通気性フィルム、スパンボンドなどの不織布の片面に液不透過性フィルムをラミネートした複合シートなどが挙げられる。具体的には、液不透過性フィルムは、着用感を損なわない柔軟性を考慮した上で、密度が０．９００〜０．９２５ｇ／ｃｍ３の範囲である低密度ポリエチレン（ＬＤＰＥ）を主体とした目付１５〜４０ｇ／ｍ２からなるものである。
【００７３】
次に、上記構成部材を貼り合わせて生理用ナプキン１に成形する方法について説明する。
【００７４】
トップシート２１は片側がピンともう一方が孔からなる加熱されたロール間を通り、開孔される。その後、セカンドシート２２がスパイラル状に塗布されたＨＭＡ（目付５ｇ／ｍ２塗布）で貼り合わされる。その後、この複合したシートを格子状のピンが設けられたロールと、フラット面の加熱されたロールとの間を通されてキルティング処理される。その後、ティッシュで巻かれた吸収体４１がスパイラル状に塗布されたＨＭＡ（目付６ｇ／ｍ２塗布）で貼りあわされて、その後、本発明のエンボス模様が刻設されたロールと、フラット面の加熱されたロールとの間を通して面状模様部位７が形成される。その後、スパイラル状に塗布されたＨＭＡ（目付２ｇ／ｍ２塗布）にてバックシート３１が貼りあわされる。尚、スパイラル状に塗布されたＨＭＡは全て塗工幅が１８ｍｍである。
【００７５】
その他構成部材として、図示しないが、フラップの裏面側および吸収層４が接合された裏面層３の裏面側に塗布されて、ショーツ等の下着に止着するための接着剤として、スチレンーエチレン・ブタジエンースチレンブロック共重合体（ＳＥＢＳ）、スチレンーイソプレンースチレンブロック共重合体（ＳＩＳ）、スチレンーブタジェンースチレンブロック共重合体（ＳＢＳ）等の合成樹脂を主成分とした感圧型ホットメルトが利用される。
【００７６】
次に、本発明に係る吸収性物品の第２の実施形態について図６、図７により説明する。
【００７７】
図６は、第２の実施形態の生理用ナプキンを示す平面図であり、図７は図６のＸ−Ｘ’線断面図である。尚、以下の実施形態では第１の実施形態と同一の構成要素には同一符号を付して、その重複する説明を省略する。
【００７８】
本実施形態の生理用ナプキン１Ｂは、図６、図７に示すように、第１の実施形態と同じく表面層２と、裏面層３と、これら両層の間に介在する吸収層４とからなる。表面層２は、液透過性のトップシート２１と液透過性もしくは液保持性のセカンドシート２２とからなる。裏面層３は、液不透過性のバックシート３１からなる。吸収層４は、液保持性の吸収体４１からなる。表面層２と裏面層３は吸収層３の四周から延出する部分で重なり合い接合されている。また、表面層２のトップシート２１とセカンドシート２２、吸収層４、裏面層３とはホットメルト型接着剤（以下ＨＭＡと称する）で貼り合せて接合されている。
【００７９】
また、図示しないが、裏面層３の長手方向のほぼ中央部分を幅方向外方に延出させて左右一対のフラップを形成し、また、このフラップの裏面側および吸収層４が接合された裏面層３の裏面側には、粘着剤が塗布されて、吸収性物品をショーツなどに固定する固定部が形成されている。
【００８０】
本実施形態の生理用ナプキン１Ｂにおいては、表面層２の肌当接面２４には、表裏面層２と吸収層４とを一体化する圧縮部位５で花柄の図柄が形成された面状模様部位７が、幅方向の両側縁に沿って長手方向に千鳥状に配置されている。また、中央領域には複数のドット状のピンエンボス部８が形成されている。また、千鳥状に配置された面状模様部位６の千鳥の始点と終点位置には全面が圧縮された圧縮部位９２となっている。
【００８１】
上記面状模様部位７は、第１の実施形態と同じように圧縮部位５で花柄形状といった図柄を形成したものであり、この花柄形状は表面層と吸収層を一体化する圧縮部位５によって象られた花びら型の模様を半径約７ｍｍの円の中に約７２度づつずらして配置したものからなる。この花びらを象る圧縮部位５の幅は約０．７ｍｍで、好ましい範囲としては０．３〜３．０ｍｍであり、更に好ましい範囲は０．５〜１．２ｍｍである。０．３ｍｍより狭い場合、生産ライン中でエンボスロールのデザインの凸になっている部分が折れる危険性があり、製造上不都合となる。また、３．０ｍｍより広い場合、生理用ナプキン１Ｂに過度の硬さを与えてしまう。また、密度は１．０〜５．０ｇ／ｃｍ３の範囲が好ましく、更に好ましいのは１．５〜３．０ｇ／ｃｍ３である。１．０ｇ／ｃｍ３より低い場合、十分な強度が得られず、使用中に圧縮部位が破壊されてしまう。また、５．０ｇ／ｃｍ３より高い場合には過度の硬さがでてしまう。
【００８２】
この千鳥状に配置された面状模様部位７は、圧縮部位５で形成された図柄であるので、剛性が高く、股を閉じるなどの横の力がかかった場合、面状模様部位７が、力を生理用ナプキン１Ｂ全体に伝えず、面状模様部位７が部分的に力を受け止め生理用ナプキン１Ｂ全体が変形することを妨げる。そうすることにより、製品自体が部分的に変形することが可能となり、ショーツの動きに対して柔軟に同調することが可能となる。また、面状模様部位７が生理用ナプキン１Ｂの長手方向中心線Ｌ−Ｌ’を対称軸として左右で対を成さないで千鳥状に配置されていることで、ショーツへの追従性が高まる。
【００８３】
また、上記面状模様部位７は、圧縮部位５によって花柄形状の図柄が形成されていることにより、圧縮部位５が圧縮されていない部分（以下非圧縮部分と称する）を囲っており、経血があるときでもないときでも花柄がはっきりと確認することができ、生理時の憂鬱感を取替え時に一瞬忘れさせる効果がある。また、経血に触れたときでもそれぞれの見え方が異なり、非圧縮部分には経血の鮮明な色を呈するが、圧縮部位５は圧縮によりその定年がフィルム状になっているため、そこだけ経血の色が白色化（白化性が高い）されて見える。
【００８４】
更に、面状模様部位７が花びら型の模様が５枚集まって花柄の図柄を形成しているので、生理用ナプキン１Ｂの幅方向の両側縁側に配置されていることにより、生理用ナプキン１の交換時のインジケーター的な役割を果たす。つまり、トイレで使用中のナプキンを見た際、花柄の５枚の花びらに経血が滲んで花が咲いたように見えたら、交換のタイミングであると判断することができる。また、両側部には底部がフィルム化されている圧縮部位を多く配置しているので、光線反射率が生理用ナプキン１の中央部側と両側縁側で異なることとなり、暗いところでも着用者が生理用ナプキン１をショーツに付ける位置を判断する際の助けとなる。
【００８５】
また、上記ピンエンボス８の面積は、第１の実施形態と同様に、０．５〜１３ｍｍ２の範囲で、好ましくは２．５〜７ｍｍ２である大きさの圧縮凹みであって、表面層２と吸収層４を部分的に圧縮して一体化している。０．５ｍｍ２より小さいと、圧縮部位が小さくなり、経血を表面層から吸収層へ移行する力が損なわれる。また、１３ｍｍ２より大きいと圧縮面積が大きいためにデリケートな排泄部と対面する領域において硬さがでてしまい、デリケートな排泄部に擦れなどの負担を与える可能性があるので好ましくない。また、部分的に圧縮して表面材と吸収体を一体化していることにより、密度の高くなっているピンエンボス部８で経血が吸収層４に移行しやすくなり、表面層２に経血が残存する量が低減でき着用中に不快感を与えることが少なくなる。尚、中央領域のエンボス部分が多すぎると、大量の経血が排出された時に一瞬で経血を空間に閉じ込めるための空隙を失う可能性もでてくる。
【００８６】
尚、この図柄は花柄形状に限定されるものではない。また、圧縮部位５の幅寸法、密度等はこれに特定されるものでなく、上述の効果が得られるように適宜選定すればよい。
【００８７】
以上の様に本発明に係るナプキンに関して、例を示す図面を参照しつつ具体的に説明したが、本発明はもとより図示例に限定される訳ではなく、前記の趣旨に適合し得る範囲で適当に変更を加えて実施することも可能であり、それらはいずれも本発明の技術的範囲に包含される。
【００８８】
例えば、本実施形態として生理用ナプキンについて説明したが、パンティライナー、失禁パッドなどの吸収性物品であってもよい。
【００８９】
【発明の効果】
本発明によれば、圧縮部位が線状模様部位と、面状模様部位とからなり、それぞれが千鳥状に交互に配置され、且つ分断されていることにより、その分断されているところで変形しやすく、無理なくそこで折れて、生理用ナプキン等の吸収性物品が湾曲するように撓るので、生理用ナプキン等の吸収性物品を固定するショーツの伸びや縮みなどへの追従性が高まり、身体によりフィットすることになる。これによって、ショーツの動きが制限されず、着用者にとってショーツに吸収性物品をつけている異物感（ショーツが伸びているのに吸収性物品が動かなくつっぱった感じで吸収性物品の存在をアピールするような使用感）を低減できる。
【００９０】
また、吸収性物品の両側縁近傍に形成した面状模様部位は、例えば花柄といったように視覚的効果の高い模様をあしらい、且つ、使用後でもこの花柄がくっきり見えることから生理時の憂鬱な気分を和らげる効果を奏する。また、同時にナプキンの取替え時を判断するインジケーターとしての役目を果たし、取替え時の判断が容易となる。更に、商品性にも優れる。
【図面の簡単な説明】
【図１】本発明の第１の実施形態の生理用ナプキンを示す平面図である。
【図２】図１のＸ−Ｘ’線断面図である。
【図３】図１のＡ部分の拡大図である。
【図４】本実施形態の生理用ナプキンに変形力が作用した際の面状模様部位と線状模様部位の可動状態を説明するための説明図である。
【図５】エンボスの線圧のバランスを説明するための説明図である。
【図６】本発明の第２の実施形態の生理用ナプキンを示す平面図である。
【図７】図６のＸ−Ｘ’線断面図である。
【符号の説明】
１，１Ｂ  生理用ナプキン
２  表面層
２１  トップシート
２２  セカンドシート
３  裏面層
３１  バックシート
４  吸収層
４１  吸収体
５  圧縮部位
６  線状模様部位
６１  高圧縮部位
６２  低圧縮部位
７  面状模様部位
８  ピンエンボス部
９  線圧調整用圧縮部位
９１  第１の線圧調整用圧縮部位
９２  第２の線圧調整用圧縮部位
【図１】
2004181107.tif 000003
【図２】
2004181107.tif 000004
【図３】
2004181107.tif 000005
【図４】
2004181107.tif 000006
【図５】
2004181107.tif 000007
【図６】
2004181107.tif 000008
【図７】
2004181107.tif 000009